(57)【要約】〔課題〕　蒸気タービン発電の排エネルギーの削減と揚水ポンプの消費電力の削減を提供する。〔解決手段〕　蒸気タービン１の排蒸気を冷却する復水器２ａ内にアンモニアを封入したアンモニアパイプ３を設置して給アンモニアポンプ４にてアンモニアを循環して排蒸気熱でアンモニアガスを得てアンモニアガスタービン発電を構成して排蒸気を電力化することにより蒸気タービン発電の排エネルギーの削減を提供する。蒸気タービン１の排蒸気熱をアンモニアに転熱することにより排蒸気の冷却効果が得られるので復水器２ａえの冷却水の削減と揚水ポンプの消費電力の削減を提供する。【選択図】　図１
2004124937.tif 000002
【特許請求の範囲】
【請求項１】
発電プラントの蒸気タービン（１）より排出される排蒸気を冷却する復水器（２ａ）内部にアンモニアを封入したアンモニアパイプ（３）を設置して給アンモニアポンプ（４）を駆動してアンモニアを循環しアンモニアは排蒸気の熱で加熱されアンモニアガス化するアンモニアガスの圧力放出でアンモニアガスタービン（５）を駆動して発電機（６ｂ）で発電して発電後の排アンモニアガスは排アンモニアガスパイプ（７）を通して冷却システムで冷却後給アンモニアパイプ（８）に通じアンモニアパイプ（３）え循環しアンモニアに転熱して一次冷却した排蒸気は冷却水を内通水する冷却水パイプ（９）で冷却して給水ポンプ（１０）を駆動して循環して原子力火力で加熱して再蒸気化して放出して蒸気タービン（１）を駆動して発電機（６ａ）で発電して排蒸気をアンモニアと冷却水で復合熱交換する方法と蒸気タービ発電とアンモニアガスタービン発電の復合発電で構成したことを特徴とする複合熱交換による複合発電法。
【請求項２】
熱交換器（１４）と復水器（２ｂ）を送蒸気パイプ（１２）と回収蒸気パイプ（１３）で直結して蒸気タービン（１）の排蒸気を蒸気出口（１５）送蒸気パイプ（１２）熱交換器（１４）回収蒸気パイプ（１３）復水器（２ｂ）の順に循環して請求項１に記載するように蒸気タービン（１）発電とアンモニアガスタービン（５）発電の複合発電と排蒸気の熱交換器（１４）と復水器（２ｂ）の複合熱交換による請求項１に記載する複合熱交換による複合発電法。
【請求項３】
請求項１又は２に記載する前工程にガスタービン発電を連結して蒸気タービン発電アンモニアガスタービン発電の順に３連結発電法。
【発明の詳細な説明】
【０００１】
〔発明の属する技術分野〕
本発明は蒸気タービン発電の排蒸気熱をアンモニアガスタービン発電に活用する複合発電と排蒸気をアンモニアと冷却水で複合熱交換する方法に関する。
【０００２】
〔従来の技術〕
従来の蒸気タービン発電においては発電後の排蒸気は復水器で多量の冷却水で冷却して給水ポンプを駆動して原子力火力で加熱して循環するが燃料燃焼エネルギーの約５０％程度が温排水の排エネルギーとなる（丸善出版、エネルギー百科事曲１８９ページ参照）
【０００３】
〔発明が解決しようとする課題〕
従来の蒸気タービン発電においては上記のようにエネルギーの約５０％が温排水の排出エネルギーとなって無駄となっている課題があった。
発電後の排蒸気を復水器で冷却する冷却水の使用量が超多量で（例えば川内原力子力発電、発電能力１７８万ＫＷの場合毎秒１２８（ｔ／ｓ）の冷却水を使用）したがって揚水ポンプの消費電力も多大で不経済という問題点があった。
【０００４】
本発明は発電後の排蒸気のエネルギーを温排水に約５０％排エネルギーとなる無駄を削減するため蒸気タービン発電の排蒸気熱をアンモニアガスタービン発電に活用して排エネルギーを削減することを目的としており、さらに発電後の排蒸気熱をアンモニアガタービンに転熱することで排蒸気熱の冷却効果を得ることにより冷却水と揚水ポンプの電力コストの削減を目的とする。
【０００５】
〔課題を解決するための手段〕
上記目的を達成するために本発明においては、発電プラントの蒸気タービンより排出される排蒸気を冷却する復水器内にアンモニアを封入したアンモニアパイプを設置して給アンモニアポンプを駆動してアンモニアを循環しアンモニアは排蒸気の熱で加熱されアンモニアはアンモニアガス化するアンモニアガスの圧力放出でアンモニアガスタービンを駆動して発電機で発電して発電後の排アンモニアガスは排アンモニアガスパイプを通して冷却システムで冷却後給アンモニアパイプに通じアンモニアパイプえ循環しアンモニアに転熱して一次冷却した排蒸気は冷却水を内通水する冷却水パイプで冷却して給水ポンプを駆動して循環して原子力火力で加熱して再蒸気化して放出して蒸気タービンを駆動して発電機で発電する
【０００６】
別個にしたアンモニアを蒸気タービンの排蒸気で加熱する熱交換器と復水器を送蒸気パイプと回収蒸気パイプで連結して蒸気タービンの排蒸気を蒸気出口送蒸気パイプ熱交換器回収蒸気パイプ復水器の順に循環し上記に記載するように蒸気タービン発電とアンモニアガスタービン発電の複合発電と蒸気タービンの排蒸気をアンモニアと冷却水で複合冷却（複合熱交換）する
【０００７】
本発明とガスタービン発電と連結してガスタービン発電蒸気タービン発電アンモニアガスタービン発電の順に３連結構成発電する。
【０００８】
〔作用〕
上記のように構成されるため、蒸気タービンより排出された排蒸気熱はアンモニアガスタービン発電に活用してＣＯ２ＮＯＸガス排出の無い電力を得るため蒸気タービン発電の排エネルギーの約３０％〜５０％が削減できる。
【０００９】
そして上記のような構成により排蒸気熱をアンモニアに転熱することで排蒸気の一次冷却効果が得られることにより復水器に使用される冷却水を削減できるため、冷却水用の揚水ポンプの消費電力を約３０％〜５０％削減できる。
【０００１０】
〔発明の実施の形態〕
本発明の実施の形態について図面を参照して説明すると図１において、原子力発電各火力発電の蒸気タービン１より排出される排蒸気を冷却する復水器２ａ内部にアンモニアを封入したアンモニアパイプ３を設置して給アンモニアポンプ４を駆動してアンモニアを循環するアンモニアは排蒸気１の熱で加熱されアンモニアガス化する．アンモニアガスの圧力放出でアンモニアガスタービン５を駆動して発電機６ｂで発電する．発電後の排アンモニアガスは排アンモニアガスパイプ７を通して冷却システムで冷却後、給アンモニアパイプ８に通じてアンモニアパイプ３え循環する．アンモニアに転熱して一次冷却した排蒸気は冷却水を内通水した冷却水パイプ９で冷却して給水ポンプ１０を駆動して循環し原子力火力で加熱して再蒸気化して蒸気タービン１え循環して蒸気タービン１を駆動して発電機６ａで発電する．排アンモニアガスの冷却システムに用いる冷却水は海水海洋深層水河川水地下水湖水又は氷雪等を使用する．本発明の熱交換器１４と原子力発電各火力発電プラント部の構成稼働方法材質技術は現状又は新形態アンモニアと水の混合液をアンモニアパイプ３に封入して上記のように循環する。
【０００１１】
図２に示すように復水器２ｂとアンモニアを加熱する熱交換器１４は別個として復水器２ｂと熱交換器１４は送蒸気パイプ１２と回収蒸気パイプ１３で連結して排蒸気は蒸気出口１５送蒸気パイプ１２熱交換器１４回収蒸気パイプ１３復水器２ｂの順に循環して上記のように複合熱交換による複合発電法。
【０００１２】
ガスを燃焼して高温排ガスの放出でタービンを駆動するガスタービン発電と本発明と連結して排ガス熱で蒸気を得てガスタービン発電蒸気タービン発電アンモニアガスター発電の順に３連結発電する方法
【０００１３】
本発明を全て新設する場合図１に示す構成が好ましく既存の発電に連結する場合は図２に示す構成が好ましく復水器２ｂは既存のものを部合改造して再使用する。
【０００１４】
〔発明の効果〕
本発明は以上説明したように構成されているので以下に記載されるような効果を奏する。
【０００１５】
蒸気タービンより排出した排蒸気をアンモニアガスタービン発電に活用して電力を得るため蒸気タービン発電の排エネルギーの約３０％〜５０％が削減できる
【０００１６】
蒸気タービンより排出した排蒸気熱をアンモニアに熱交換することにより排蒸気の冷却効果が得られ排蒸気を冷却する冷却水と揚水ポンプの消費電力の約３０％〜５０％が削減できる。
【０００１７】
アンモニアガスタービン発電においてはＣＯ２ＮＯｘガスの排出をしないので地球環境上好ましい発電である。
【図面の簡単な説明】
【図１】本発明の実施例を示す斜視図である。
【図２】本発明の実施例を示す斜視図である。
【符号の説明】
１　蒸気タービン
２ａ，２ｂ　復水器
３　アンモニアパイプ
４　給アンモニアポンプ
５　アンモニアガスタービン
６ａ，６ｂ　発電機
７　排アンモニアガスパイプ
８　給アンモニアポンプ
９　冷却水パイプ
１０　給水ポンプ
１１　揚水ポンプ
１２　送蒸気パイプ
１３　回収蒸気パイプ
１４　熱交換器
１５　蒸気出口
【図１】
2004124937.tif 000003
【図２】
2004124937.tif 000004